(57)【要約】【課題】電磁誘導によって加熱された冷媒配管の内部を通過する冷媒の加熱効率を向上させることが可能な電磁誘導加熱ユニットおよび空気調和装置を提供する。【解決手段】冷媒配管５０を流れる冷媒と熱的接触をする部材である磁性体管５２を対象として、誘導加熱を行う電磁誘導加熱ユニット６であって、コイル６８および配管内ガイド８１を備えている。コイル６８は、磁性体管５２の周りを取り巻いている。配管内ガイド８１は、磁性体管５２側の第１通過箇所Ｓ１を所定距離流れた冷媒を、冷媒配管５０内であって第１通過箇所Ｓ１よりも磁性体管５２から離れた第２通過箇所Ｓ２に導く。【選択図】図９
2010153202.tif 000002
【特許請求の範囲】
【請求項１】
冷媒配管（５０、２５０、３５０、４５０、５５０、６５０、７５０、８５０）および／または前記冷媒配管中を流れる冷媒と熱的接触をする部材である加熱対象部材（５２、２５２、７５２）を対象として、誘導加熱を行う電磁誘導加熱ユニット（６）であって、
前記加熱対象部材（５２、２５２、７５２）の近傍に配置されたコイル（６８、１６８）と、
前記加熱対象部材（５２、２５２、７５２）側の第１通過箇所（Ｓ１、Ｔ１）を所定距離流れた冷媒を、前記冷媒配管内であって前記第１通過箇所（Ｓ１、Ｔ１）よりも前記加熱対象部材（５２、２５２、７５２）から離れた第２通過箇所（Ｓ２、Ｔ２）に導く第１加熱抑制ガイド（８１、２８１）と、
を備えた電磁誘導加熱ユニット（６）。
【請求項２】
前記冷媒流れを前記加熱対象部材（５２、２５２、７５２）に近づく方向に向ける流れ変更部（８２、２８２）をさらに備えた、
請求項１に記載の電磁誘導加熱ユニット（６）。
【請求項３】
前記第１加熱抑制ガイド（８１、８１ｂ、２８１、２８１ｂ）に対して冷媒流れ方向上流側に配置され、前記第１通過箇所（Ｓ１、Ｔ１）を所定距離流れた冷媒を、前記第２通過箇所（Ｓ２、Ｔ２）に導く第２加熱抑制ガイド（８１、８１ａ、２８１、２８１ａ）をさらに備え、
前記流れ変更部（８２、２８２）は、前記冷媒流れ方向において、前記第１加熱抑制ガイド（８１、８１ｂ、２８１、２８１ｂ）と前記第２加熱抑制ガイド（８１、８１ａ、２８１、２８１ａ）との間に配置されている、
請求項２に記載の電磁誘導加熱ユニット（６）。
【請求項４】
前記加熱対象部材（５２）は、少なくとも前記冷媒配管（５０）の外側に配置されており、
前記第１加熱抑制ガイド（８１、８１ｂ）は、前記冷媒配管（５０）の内側表面もしくは前記冷媒配管（５０）の内側表面近傍から径方向内側に向けて、前記冷媒配管（５０）の軸に達しない程度まで延びている、
請求項１から３のいずれか１項に記載の電磁誘導加熱ユニット（６）。
【請求項５】
前記流れ変更部（８２）は、少なくとも前記冷媒配管（５０）の軸部分から径方向外側に向けて、前記冷媒配管（５０）の内側表面に達しない程度まで拡がっている部分を有している内側流れ変更部（８２）である、
請求項４に記載の電磁誘導加熱ユニット（６）。
【請求項６】
前記第２加熱抑制ガイド（８１、８１ａ）は、前記冷媒配管（５０）の内側表面もしくは前記冷媒配管（５０）の内側表面近傍から径方向内側に向けて、前記冷媒配管（５０）の軸に達しない程度まで延びている、
請求項５に記載の電磁誘導加熱ユニット（６）。
【請求項７】
前記加熱対象部材（２５２）は、少なくとも前記冷媒配管（２５０）の内側に配置されており、
前記第１加熱抑制ガイド（２８１、２８１ｂ）は、前記加熱対象部材（２５２）の外側表面もしくは前記加熱対象部材（２５２）の外側表面近傍から前記冷媒配管（２５０）の内側表面に向けて、前記冷媒配管（２５０）の内側表面に達しない程度まで延びている、
請求項１から３のいずれか１項に記載の電磁誘導加熱ユニット（６）。
【請求項８】
前記流れ変更部（２８２）は、少なくとも前記冷媒配管（２５０）の内側表面もしくは前記冷媒配管（２５０）の内側表面近傍から径方向内側に向けて、前記加熱対象部材（２５２）の外側表面に達しない程度まで拡がっている部分を有している外側流れ変更部（２８２）である、
請求項７に記載の電磁誘導加熱ユニット（６）。
【請求項９】
前記第２加熱抑制ガイド（２８１、２８１ａ）は、前記加熱対象部材（２５２）の外側表面もしくは前記加熱対象部材（２５２）の外側表面近傍から前記冷媒配管（２５０）の内側表面に向けて、前記冷媒配管（２５０）の内側表面に達しない程度まで延びている、
請求項８に記載の電磁誘導加熱ユニット（６）。
【請求項１０】
前記第１加熱抑制ガイド（８１、２８１）は、径方向の長さ成分よりも、前記加熱対象部材（５２、２５２）近傍における円弧長さ成分の方が長い、
請求項１から９のいずれか１項に記載の電磁誘導加熱ユニット（６）。
【請求項１１】
前記第１加熱抑制ガイド（８１、２８１）は、前記冷媒配管（３５０、４５０）に対して直接固定されることなく前記冷媒配管（３５０、４５０）の内側に存在し、
前記冷媒配管（３５０、４５０）の冷媒の流れ方向において前記第１加熱抑制ガイド（８１、２８１）に対する相対位置を定めつつ、前記第１加熱抑制ガイド（８１、２８１）は通過させないが冷媒は通過させる位置決め部（３８９、４８９）をさらに備えている、
請求項１から１０のいずれか１項に記載の電磁誘導加熱ユニット（６）。
【請求項１２】
請求項１から１１のいずれか１項に記載の電磁誘導加熱ユニット（６）と、
前記冷媒配管（５０、２５０、３５０、４５０、５５０、６５０、７５０、８５０）を含む冷凍サイクル（１０）と、
を備えた空気調和装置（１）。
【発明の詳細な説明】
【技術分野】
【０００１】
本発明は、電磁誘導加熱ユニットおよび空気調和装置に関する。
【背景技術】
【０００２】
冷凍サイクルには、冷媒の熱を放出させる放熱器や、冷媒に対して熱を与える加熱器等が備えられている。冷凍サイクルを循環する冷媒は、例えば、冷房運転サイクルにおいては室内の空気との間で熱交換を行って熱を得ており、暖房運転サイクルにおいては屋外の空気との間で熱交換を行って熱を得ている。
【０００３】
以下に示す特許文献１に記載の空気調和機の冷凍サイクルによると、上述のような室内の空気や屋外の空気から熱を得るだけでなく、別個に冷媒加熱装置によって冷媒が熱を得るシステムが提案されている。この冷媒加熱装置では、冷媒の流れる熱交換器をバーナで加熱させることにより、熱交換器内部を流れる冷媒に熱を与えている。このように、この空気調和機では冷媒加熱装置を採用しているため、冷媒が熱を必要とする場合において、室内や屋外の気温等の制約を受けることなく、冷媒を加熱することを可能にしている。
【特許文献１】特開平８−２１０７２０号公報
【発明の開示】
【発明が解決しようとする課題】
【０００４】
上述のような冷媒加熱装置として、バーナ等の火を用いる方式の加熱ではなく、電気的な方式として電磁誘導加熱方式を採用することもできる。例えば、磁性体材料を含む冷媒配管の周りに電磁誘導コイルを巻き、この電磁誘導加熱コイルに対して電流を流すことで生じた磁束に起因して冷媒配管を発熱させることができる。そして、この冷媒配管における発熱を用いて、冷媒を加熱することができる。
【０００５】
しかし、配管内側表面近傍を通過して加熱された冷媒は、配管内側表面から離れた部分を通過してあまり加熱されていない冷媒と比べて、比体積が増大しがちになっている。このように、配管表面近傍において熱を伝達させる対象である冷媒の比体積よりも小さな比体積を有する冷媒が配管内側表面から離れた部分を通過しているため、配管内側表面近傍を通過している比体積の大きな冷媒を主に加熱してしまっている場合には、配管内側表面から離れた部分を通過している比体積の小さい冷媒を直接加熱する場合と比較して、配管内を流れる冷媒全体に対する熱伝達率を良好にすることができていない。
【０００６】
特に、電磁誘導加熱を行った場合の配管等の発熱は、磁束が供給されている表面近傍の発熱効率が優れているだけあり（表皮効果）、配管表面から離れた配管内部の発熱効率は、配管表面に比べて劣っている。このため、配管内のうち配管内側表面近傍で生じた熱が、配管内部を通じて冷媒が流れている部分とは反対側に向けて伝わってしまって熱が逃げてしまう前に、冷媒に効率的に熱を伝えることが求められる。
【０００７】
しかも、従来のように単に熱交換に有効な表面積を増大させる目的で作成される内面溝付き加工等では、比体積の大きな冷媒が配管内側表面を流れているという上述した問題を十分に解決することが困難である。
【０００８】
本発明は上述した点に鑑みてなされたものであり、本発明の課題は、電磁誘導によって加熱された冷媒配管の内部を通過する冷媒の加熱効率を向上させることが可能な電磁誘導加熱ユニットおよび空気調和装置を提供することにある。
【課題を解決するための手段】
【０００９】
第１発明に係る電磁誘導加熱ユニットは、冷媒配管および／または冷媒配管中を流れる冷媒と熱的接触をする部材である加熱対象部材を対象として、誘導加熱を行う電磁誘導加熱ユニットであって、コイルおよび第１加熱抑制ガイドを備えている。コイルは、加熱対象部材の近傍に配置されている。加熱乖離ガイドは、加熱対象部材側の第１通過箇所を所定距離流れた冷媒を、冷媒配管内であって第１通過箇所よりも加熱対象部材から離れた第２通過箇所に導く。なお、ここでの電磁誘導加熱ユニットによる加熱としては、例えば、冷媒配管と熱的接触をしている加熱対象部材を電磁誘導加熱する場合、冷媒配管中を流れる冷媒と熱的接触をしている加熱対象部材を電磁誘導加熱する場合、および、冷媒配管の少なくとも一部を構成する加熱対象部材を電磁誘導加熱する場合、が少なくとも含まれる。
【００１０】
この電磁誘導加熱ユニットでは、電磁誘導加熱を行った場合には、表皮効果によって加熱対象部材の表面近傍が優先的に発熱する。そして、加熱対象部材側の第１通過箇所を流れて加熱された冷媒は、所定距離流れた後に加熱対象部材から離れた第２通過箇所に向けて第１加熱抑制ガイドによって導かれる。このため、比較的比体積が大きな冷媒が、誘導加熱によって優先的な発熱が生じている加熱対象部材側の第１通過箇所に滞在し続けることを防止することが可能になる。よって、空いたスペースとなる加熱対象部材側の第１通過箇所には、第２通過箇所を流れていた比較的比体積の小さな冷媒が流れ込むことになる。このようにして、誘導加熱の表皮効果によって優先的に発熱している加熱対象部材の表面近傍に向けて、より比体積の小さな冷媒を積極的に供給することができる。これにより、表皮効果によって優先的に発熱している加熱対象部材の表面近傍の熱が、冷媒側とは反対側に伝導してしまう程度を抑えて、冷媒側に伝達される程度を増大させ、冷媒の加熱効率を向上させることができるようになる。
【００１１】
第２発明の電磁誘導加熱ユニットは、第１発明の電磁誘導加熱ユニットにおいて、冷媒流れを加熱対象部材に近づく方向に向ける流れ変更部をさらに備えている。
【００１２】
この電磁誘導加熱ユニットでは、加熱対象部材の近傍を通過することなく十分に加熱されていない冷媒は、流れ変更部によって流れ方向が変更され、加熱対象部材に近づけられることになる。これにより、十分に加熱されていない冷媒を加熱効率の良い加熱対象部材近傍に導くことが可能になる。
【００１３】
第３発明の電磁誘導加熱ユニットは、第２発明の電磁誘導加熱ユニットにおいて、第２加熱抑制ガイドをさらに備えている。第２加熱抑制ガイドは、第１加熱抑制ガイドに対して冷媒流れ方向上流側に配置され、第１通過箇所を所定距離流れた冷媒を、第２通過箇所に導く。流れ変更部は、冷媒流れ方向において、第１加熱抑制ガイドと第２加熱抑制ガイドとの間に配置されている。
【００１４】
この電磁誘導加熱ユニットでは、加熱対象部材側である第１通過箇所を通過することなく加熱対象部材から離れた第２通過箇所を通過することで十分に加熱されていない冷媒は、流れ変更部によって流れ方向が変更され、加熱対象部材側である第１通過箇所に向けて供給されることになる。これにより、十分に加熱されていない冷媒を加熱効率の良い第１通過箇所に導きつつ、既に加熱されて比体積が増大している第１通過箇所に停滞している冷媒を第２通過箇所に押し向けることが可能になる。
【００１５】
第４発明の電磁誘導加熱ユニットは、第１発明から第３発明のいずれかの電磁誘導加熱ユニットにおいて、加熱対象部材は、少なくとも冷媒配管の外側に配置されている。第１加熱抑制ガイドは、冷媒配管の内側表面もしくは冷媒配管の内側表面近傍から径方向内側に向けて、冷媒配管の軸に達しない程度まで延びている。
【００１６】
この電磁誘導加熱ユニットでは、冷媒配管の内側表面もしくは冷媒配管の内側表面近傍を通過することで、加熱されて比体積が大きくなった冷媒を、冷媒配管の内側表面の他の部分もしくは冷媒配管の内側表面近傍の他の部分に導くのではなく、一旦冷媒配管の内側表面から離れた位置に導くことができる。これにより、冷媒配管の内側表面もしくはその近傍を通過して加熱されることで比体積が大きくなった冷媒が、冷媒配管の内側表面の他の部分もしくは冷媒配管の内側表面近傍の他の部分を通過し続けて加熱され続けることを防止することができる。
【００１７】
第５発明の電磁誘導加熱ユニットは、第４発明の電磁誘導加熱ユニットにおいて、流れ変更部は、少なくとも冷媒配管の軸部分から径方向外側に向けて、冷媒配管の内側表面に達しない程度まで拡がっている部分を有している内側流れ変更部である。
【００１８】
この電磁誘導加熱ユニットでは、冷媒配管の内側表面もしくは冷媒配管の内側表面近傍を通過することなく冷媒配管の中央近傍を通過することで十分に加熱されていない冷媒は、内側流れ変更部によって流れ方向が変更され、冷媒配管の内側表面近傍に向けて供給されることになる。これにより、十分に加熱されていない冷媒を加熱効率の良い冷媒配管の内側表面近傍に導くことが可能になる。
【００１９】
第６発明の電磁誘導加熱ユニットは、第５発明の電磁誘導加熱ユニットにおいて、第２加熱抑制ガイドは、冷媒配管の内側表面もしくは冷媒配管の内側表面近傍から径方向内側に向けて、冷媒配管の軸に達しない程度まで延びている。
【００２０】
この電磁誘導加熱ユニットでは、冷媒配管の内側表面もしくは冷媒配管の内側表面近傍を通過することなく冷媒配管の中央近傍を通過することで十分に加熱されていない冷媒は、内側流れ変更部によって流れ方向が変更され、冷媒配管の内側表面近傍に向けて供給されることになる。これにより、十分に加熱されていない冷媒を加熱効率の良い冷媒配管の内側表面近傍に導きつつ、既に加熱されて比体積が増大している冷媒配管の内側表面近傍に停滞している冷媒を冷媒配管の内側に押し向けることが可能になる。
【００２１】
第７発明の電磁誘導加熱ユニットは、第１発明から第３発明のいずれかの電磁誘導加熱ユニットにおいて、加熱対象部材は、少なくとも冷媒配管の内側に配置されている。第１加熱抑制ガイドは、加熱対象部材の外側表面もしくは加熱対象部材の外側表面近傍から冷媒配管の内側表面に向けて、冷媒配管の内側表面に達しない程度まで延びている。
【００２２】
この電磁誘導加熱ユニットでは、加熱対象部材の外側表面もしくは加熱対象部材の外側表面近傍を通過することで、加熱されて比体積が大きくなった冷媒を、加熱対象部材の外側表面の他の部分もしくは加熱対象部材の外側表面近傍の他の部分に導くのではなく、一旦加熱対象部材の外側表面から離れた位置に導くことができる。これにより、加熱対象部材の外側表面もしくはその近傍を通過して加熱されることで比体積が大きくなった冷媒が、加熱対象部材の外側表面の他の部分もしくは加熱対象部材の外側近傍の他の部分を通過し続けて加熱され続けることを防止することができる。
【００２３】
第８発明の電磁誘導加熱ユニットは、第７発明の電磁誘導加熱ユニットにおいて、流れ変更部は、少なくとも冷媒配管の内側表面もしくは冷媒配管の内側表面近傍から径方向内側に向けて、加熱対象部材の外側表面に達しない程度まで拡がっている部分を有している外側流れ変更部である。
【００２４】
この電磁誘導加熱ユニットでは、加熱対象部の外側表面もしくは加熱対象部の外側表面近傍を通過することなく加熱対象部から離れた部分を通過することで十分に加熱されていない冷媒は、外側流れ変更部によって流れ方向が変更され、加熱対象部の外側表面近傍に向けて供給されることになる。これにより、十分に加熱されていない冷媒を加熱効率の良い加熱対象部の外側表面近傍に導きつつ、既に加熱されて比体積が増大している加熱対象部の外側表面近傍に停滞している冷媒を加熱対象部から離れた場所に押し向けることが可能になる。
【００２５】
第９発明の電磁誘導加熱ユニットは、第８発明の電磁誘導加熱ユニットにおいて、第２加熱抑制ガイドをさらに備えている。第２加熱抑制ガイドは、加熱対象部材の外側表面もしくは加熱対象部材の外側表面近傍から冷媒配管の内側表面に向けて、冷媒配管の内側表面に達しない程度まで延びている。
【００２６】
この電磁誘導加熱ユニットでは、加熱対象部材の外側表面もしくは加熱対象部材の外側表面近傍を通過することなく冷媒配管の内側表面近傍を通過することで十分に加熱されていない冷媒は、外側遮断部によって流れ方向が変更され、加熱対象部材の外側表面近傍に向けて供給されることになる。これにより、十分に加熱されていない冷媒を加熱効率の良い加熱対象部材の外側表面近傍に導きつつ、既に加熱されて比体積が増大している加熱対象部材の外側表面近傍に停滞している冷媒を冷媒配管の内側表面に押し向けることが可能になる。
【００２７】
第１０発明の電磁誘導加熱ユニットは、第１発明から第９発明のいずれかの電磁誘導加熱ユニットにおいて、第１加熱抑制ガイドは、径方向の長さ成分よりも、加熱対象部材近傍における円弧長さ成分の方が長い。
【００２８】
この電磁誘導加熱ユニットでは、冷媒配管の内側表面近傍を沿い続けるような冷媒流れを抑制しつつ、第１加熱抑制ガイドによって十分に加熱されていない冷媒を冷媒配管の内側表面近傍に確実に導くことが可能になる。
【００２９】
第１１発明の電磁誘導加熱ユニットは、第１発明から第１０発明のいずれかの電磁誘導加熱ユニットにおいて、第１加熱抑制ガイドは、冷媒配管に対して直接固定されることなく冷媒配管の内側に存在している。冷媒配管の冷媒の流れ方向において第１加熱抑制ガイドに対する相対位置を定めつつ、第１加熱抑制ガイドは通過させないが冷媒は通過させる位置決め部をさらに備えている。
【００３０】
この電磁誘導加熱ユニットでは、第１加熱抑制ガイドは、流れてくる冷媒に対して抵抗を与えつつ、自らも冷媒の流れによって移動する。これによって、ランダムに冷媒を攪拌させることができる。また、位置決め部は、冷媒配管に対して相対位置が定められつつ第１加熱抑制ガイドを通過させないため、第１加熱抑制ガイドが移動してしまうことを防止して、ランダムな冷媒の攪拌を継続させることができる。
【００３１】
第１２発明の空気調和装置は、第１発明から第１１発明のいずれかの電磁誘導加熱ユニットと、冷媒配管を含む冷凍サイクルと、を備えている。
【００３２】
この空気調和装置では、電磁誘導加熱ユニットが空気調和装置に備えられた場合においても冷媒の加熱効率を向上させることが可能になる。
【発明の効果】
【００３３】
第１発明の電磁誘導加熱ユニットでは、表皮効果によって優先的に発熱している加熱対象部材の表面近傍の熱が、冷媒側とは反対側に伝導してしまう程度を抑えて、冷媒側に伝達される程度を増大させ、冷媒の加熱効率を向上させることができるようになる。
【００３４】
第２発明の電磁誘導加熱ユニットでは、十分に加熱されていない冷媒を加熱効率の良い加熱対象部材近傍に導くことが可能になる。
【００３５】
第３発明の電磁誘導加熱ユニットでは、十分に加熱されていない冷媒を加熱効率の良い第１通過箇所に導きつつ、既に加熱されて比体積が増大している第１通過箇所に停滞している冷媒を第２通過箇所に押し向けることが可能になる。
【００３６】
第４発明の電磁誘導加熱ユニットでは、冷媒配管の内側表面もしくはその近傍を通過して加熱されることで比体積が大きくなった冷媒が、冷媒配管の内側表面の他の部分もしくは冷媒配管の内側表面近傍の他の部分を通過し続けて加熱され続けることを防止することができる。
【００３７】
第５発明の電磁誘導加熱ユニットでは、十分に加熱されていない冷媒を加熱効率の良い冷媒配管の内側表面近傍に導くことが可能になる。
【００３８】
第６発明の電磁誘導加熱ユニットでは、十分に加熱されていない冷媒を加熱効率の良い冷媒配管の内側表面近傍に導きつつ、既に加熱されて比体積が増大している冷媒配管の内側表面近傍に停滞している冷媒を冷媒配管の内側に押し向けることが可能になる。
【００３９】
第７発明の電磁誘導加熱ユニットでは、加熱対象部材の外側表面もしくはその近傍を通過して加熱されることで比体積が大きくなった冷媒が、加熱対象部材の外側表面の他の部分もしくは加熱対象部材の外側近傍の他の部分を通過し続けて加熱され続けることを防止することができる。
【００４０】
第８発明の電磁誘導加熱ユニットでは、十分に加熱されていない冷媒を加熱効率の良い加熱対象部の外側表面近傍に導きつつ、既に加熱されて比体積が増大している加熱対象部の外側表面近傍に停滞している冷媒を加熱対象部から離れた場所に押し向けることが可能になる。
【００４１】
第９発明の電磁誘導加熱ユニットでは、十分に加熱されていない冷媒を加熱効率の良い加熱対象部材の外側表面近傍に導きつつ、既に加熱されて比体積が増大している加熱対象部材の外側表面近傍に停滞している冷媒を冷媒配管の内側表面に押し向けることが可能になる。
【００４２】
第１０発明の電磁誘導加熱ユニットでは、冷媒配管の内側表面近傍を沿い続けるような冷媒流れを抑制しつつ、第１加熱抑制ガイドによって十分に加熱されていない冷媒を冷媒配管の内側表面近傍に確実に導くことが可能になる。
【００４３】
第１１発明の電磁誘導加熱ユニットでは、第１加熱抑制ガイドが移動してしまうことを防止して、ランダムな冷媒の攪拌を継続させることができる。
【００４４】
第１２発明の空気調和装置では、電磁誘導加熱ユニットが空気調和装置に備えられた場合においても冷媒の加熱効率を向上させることが可能になる。
【発明を実施するための最良の形態】
【００４５】
以下、図面を参照しつつ、本発明の一実施形態における電磁誘導加熱ユニット６を備えた空気調和装置１を例に挙げて説明する。
【００４６】
＜１−１＞空気調和装置１
図１に、空気調和装置１の冷媒回路１０を示す冷媒回路図を示す。
【００４７】
空気調和装置１は、熱源側装置としての室外機２と、利用側装置としての室内機４とが冷媒配管によって接続されて、利用側装置が配置された空間の空気調和を行うものであって、圧縮機２１、四路切換弁２２、室外熱交換器２３、室外電動膨張弁２４、アキュームレータ２５、室外ファン２６、室内熱交換器４１、室内ファン４２、ホットガスバイパス弁２７、キャピラリーチューブ２８および電磁誘導加熱ユニット６等を備えている。
【００４８】
圧縮機２１、四路切換弁２２、室外熱交換器２３、室外電動膨張弁２４、アキュームレータ２５、室外ファン２６、ホットガスバイパス弁２７、キャピラリーチューブ２８および電磁誘導加熱ユニット６は、室外機２内に収容されている。室内熱交換器４１および室内ファン４２は、室内機４内に収容されている。
【００４９】
冷媒回路１０は、吐出管Ａ、室内側ガス管Ｂ、室内側液管Ｃ、室外側液管Ｄ、室外側ガス管Ｅ、アキューム管Ｆ、吸入管Ｇ、および、ホットガスバイパス回路Ｈを有している。室内側ガス管Ｂおよび室外側ガス管Ｅは、ガス状態の冷媒が多く通過するものではあるが、通過する冷媒をガス冷媒に限定しているものではない。室内側液管Ｃおよび室外側液管Ｄは、液状態の冷媒が多く通過するものではあるが、通過する冷媒を液冷媒に限定しているものではない。
【００５０】
吐出管Ａは、圧縮機２１と四路切換弁２２とを接続している。室内側ガス管Ｂは、四路切換弁２２と室内熱交換器４１とを接続している。室内側液管Ｃは、室内熱交換器４１と室外電動膨張弁２４とを接続している。室外側液管Ｄは、室外電動膨張弁２４と室外熱交換器２３とを接続している。室外側ガス管Ｅは、室外熱交換器２３と四路切換弁２２とを接続している。
【００５１】
アキューム管Ｆは、四路切換弁２２とアキュームレータ２５とを接続しており、室外機２の設置状態で鉛直方向に伸びている。アキューム管Ｆの一部に対して、電磁誘導加熱ユニット６が取り付けられている。アキューム管Ｆは、少なくとも後述するコイル６８によって周囲を覆われている部分において、内側に冷媒を流している銅管５１と、銅管５１の周囲を覆うように設けられた磁性体管５２とを備えた二重管５０を有している（図７参照、図７では、二重管５０の内側の詳細形状は省略している。この詳細は後述する。）。銅管５１は、Ｃ１２２０によって構成されている。磁性体管５２は、ＳＵＳ（Stainless Used Steel：ステンレス鋼）４３０によって構成されている。このＳＵＳ４３０は、強磁性体材料であって、磁界に置かれると渦電流を生じつつ、自己の電気抵抗によって生ずるジュール熱により発熱する。冷媒回路１０を構成する配管のうち磁性体管５２以外の部分は、銅管５１で構成されている。
【００５２】
このように電磁誘導加熱を行うことで、アキューム管Ｆを電磁誘導によって加熱させることができ、アキュームレータ２５を介して圧縮機２１に吸入される冷媒を暖めることができる。これにより、空気調和装置１の暖房能力を向上させることができる。また、例えば、暖房運転の起動時においては、圧縮機２１が十分に暖まっていない場合であっても、電磁誘導加熱ユニット６による迅速な加熱によって起動時の能力不足を補うことができる。さらに、四路切換弁２２を冷房運転用の状態に切り換えて、室外熱交換器２３等に付着した霜を除去するデフロスト運転を行う場合には、電磁誘導加熱ユニット６がアキューム管Ｆを迅速に加熱することで、圧縮機２１は迅速に暖められた冷媒を対象として圧縮することができる。このため、圧縮機２１から吐出するホットガスの温度を迅速に上げることができる。これにより、デフロスト運転によって霜を解凍させるのに必要とされる時間を短縮化させることができる。これにより、暖房運転中に適時デフロスト運転を行うことが必要となる場合であっても、できるだけ早く暖房運転に復帰させることができ、ユーザの快適性を向上させることができる。
【００５３】
吸入管Ｇは、アキュームレータ２５と圧縮機２１の吸入側とを接続している。
【００５４】
ホットガスバイパス回路Ｈは、吐出管Ａの途中に設けられた分岐点Ａ１と室外側液管Ｄの途中に設けられた分岐点Ｄ１とを接続している。ホットガスバイパス回路Ｈは、途中に冷媒の通過を許容する状態と許容しない状態とを切換可能なホットガスバイバス弁２７が配置されている。なお、ホットガスバイパス回路Ｈは、ホットガスバイバス弁２７と分岐点Ｄ１との間に、通過する冷媒圧力を下げるキャピラリーチューブ２８が設けられている。このキャピラリーチューブ２８は、暖房運転時の室外電動膨張弁２４による冷媒圧力の低下後の圧力に近づけることができるため、ホットガスバイパス回路Ｈを通じた室外側液管Ｄへのホットガスの供給による室外側液管Ｄの冷媒圧力上昇を抑えることができる。
【００５５】
四路切換弁２２は、冷房運転サイクルと暖房運転サイクルとを切換可能である。図１では、暖房運転を行う際の接続状態を実線で示し、冷房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００５６】
室外熱交換器２３は、熱交フィン２３ｚを有している。
【００５７】
室外機２内に配置される機器を制御する室外制御部１２と、室内機４内に配置されている機器を制御する室内制御部１３とが、通信線１１ａによって接続されることで、制御部１１を構成している。この制御部１１は、空気調和装置１を対象とした種々の制御を行う。
【００５８】
＜１−２＞室外機２
図２に、室外機２の正面側の外観斜視図を示す。図３に、室外熱交換器２３および室外ファン２６との位置関係についての斜視図を示す。図４に、室外機２の機械室の内部構造を示す全体前方斜視図を示す。
【００５９】
室外機２は、天板２ａ、底板２ｂ、フロントパネル２ｃ、左側面パネル２ｄ、右側面パネル２ｆおよび背面パネル２ｅによって構成される略直方体形状の室外機ケーシングによって外表面を構成している。
【００６０】
室外機２は、室外熱交換器２３および室外ファン２６等が配置されており左側面パネル２ｄ側である送風機室と、圧縮機２１や電磁誘導加熱ユニット６が配置されており右側面パネル２ｆ側である機械室と、に仕切り板２ｈを介して区切られている。また、室外機２は、底板２ｂに対して螺着されることで固定され、室外機２の最下端部を右側と左側において構成する室外機支持台２ｇを有している。なお、電磁誘導加熱ユニット６は、機械室のうちの左側面パネル２ｄおよび天板２ａの近傍である上方の位置に配置されている。ここで、上述した室外熱交換器２３の熱交フィン２３ｚは、略水平方向に板厚方向が向くようにしつつ、板厚方向に複数並んで配置されている。ホットガスバイパス回路Ｈは、室外ファン２６および室外熱交換器２３の下方を沿うように配置されている。
【００６１】
室外機２の仕切り板２ｈは、室外熱交換器２３および室外ファン２６等が配置されている送風機室と、電磁誘導加熱ユニット６、圧縮機２１およびアキュームレータ２５等が配置されている機械室と、を区切るように前方から後方に向けて上端から下端に掛けて仕切っている。圧縮機２１およびアキュームレータ２５は、室外機２の機械室の下方の空間に配置されている。そして、電磁誘導加熱ユニット６、四路切換弁２２および室外制御部１２は、室外機２の機械室の上方の空間であって、圧縮機２１やアキュームレータ２５等の上の空間に配置されている。室外機２を構成する機能要素であって機械室に配置されている圧縮機２１、四路切換弁２２、室外熱交換器２３、室外電動膨張弁２４、アキュームレータ２５、ホットガスバイパス弁２７、キャピラリーチューブ２８および電磁誘導加熱ユニット６は、図１において示した冷媒回路１０による冷凍サイクルを実行するように、吐出管Ａ、室内側ガス管Ｂ、室外側液管Ｄ、室外側ガス管Ｅ、アキューム管Ｆ、ホットガスバイパス回路Ｈ等を介してそれぞれ接続されている。
【００６２】
＜１−３＞電磁誘導加熱ユニット６
図５に、アキューム管Ｆに取り付けられた電磁誘導加熱ユニット６概略斜視図を示す。図６に、電磁誘導加熱ユニット６から遮蔽カバー７５を取り除いた状態の外観斜視図を示す。図７に、アキューム管Ｆに取り付けられた電磁誘導加熱ユニット６の断面図を示す。なお、図７では、配管の内側の詳細形状は省略している。
【００６３】
電磁誘導加熱ユニット６は、アキューム管Ｆのうち発熱部分である磁性体管５２を径方向外側から覆うように配置されており、電磁誘導加熱によって磁性体管５２を発熱させる。このアキューム管Ｆの発熱部分は、内側の銅管５１と外側の磁性体管５２とを有する二重管構造となっている。
【００６４】
電磁誘導加熱ユニット６は、第１六角ナット６１、第２六角ナット６６、第１ボビン蓋６３、第２ボビン蓋６４、ボビン本体６５、第１フェライトケース７１、第２フェライトケース７２、第３フェライトケース７３、第４フェライトケース７４、第１フェライト９８、第２フェライト９９、コイル６８、遮蔽カバー７５、サーミスタ１４およびヒューズ１５等を備えている。
【００６５】
第１六角ナット６１および第２六角ナット６６は、樹脂製であって、図示しないＣ型リングを用いて、電磁誘導加熱ユニット６とアキューム管Ｆとの固定状態を安定させる。第１ボビン蓋６３および第２ボビン蓋６４は、樹脂製であって、アキューム管Ｆをそれぞれ上端位置および下端位置において径方向外側から覆っている。この第１ボビン蓋６３および第２ボビン蓋６４は、第１〜第４フェライトケース７１〜７４をネジ６９を介して螺着させるための、ネジ６９用の螺着孔を４つ有している。さらに、第２ボビン蓋６４は、サーミスタ１４を差し込んで、磁性体管５２の外表面に取り付けるための電磁誘導サーミスタ差し込み開口６４ｆを有している。また、第２ボビン蓋６４は、ヒューズ１５を差し込んで、磁性体管５２の外表面に取り付けるためのヒューズ差し込み開口を有している。サーミスタ１４は、検知温度を信号にして制御部１１まで伝える。ヒューズ１５は、検知結果を信号にして制御部１１まで伝える。ヒューズ１５から所定制限温度を超えた温度検知の知らせを受けた制御部１１は、コイル６８への電力供給を停止させる制御を行って、機器の熱損傷を回避させる。ボビン本体６５は、樹脂製であって、コイル６８が巻き付けられる。コイル６８は、ボビン本体６５の外側においてアキューム管Ｆの延びる方向を軸方向として螺旋状に巻き付けられている。コイル６８は、図示しない制御用プリント基板に接続されており、高周波電流の供給を受ける。制御用プリント基板は、制御部１１によって出力制御される。第１フェライトケース７１は、第１ボビン蓋６３と第２ボビン蓋６４とをアキューム管Ｆの延びている方向から挟み込み、ネジ６９によって螺着固定されている。第１フェライトケース７１〜第４フェライトケース７４は、透磁率の高い素材であるフェライトによって構成された第１フェライト９８および第２フェライト９９を収容している。第１フェライト９８および第２フェライト９９は、図８の磁束説明図（配管の内側の詳細形状は省略している。）において示すように、コイル６８によって生じる磁界を取りこんで磁束の通り道を形成することで、磁界が外部に漏れ出しにくいようにしている。遮蔽カバー７５は、電磁誘導加熱ユニット６の最外周部分に配置されており、第１フェライト９８および第２フェライト９９だけでは呼び込みきれない磁束を集める。この遮蔽カバー７５の外側にはほとんど漏れ磁束が生じず、磁束の発生場所について自決することができている。
【００６６】
＜１−４＞二重管５０の内部詳細形状
図９に、二重管５０の軸方向視平面図を示す。図１０に、二重管５０の軸方向に沿った断面形状を示す。図１１に、図１０中においてＰ−Ｐで切断した部分の断面図を示す。図１２に、図１０中においてＱ−Ｑで切断した部分の断面図を示す。
【００６７】
銅管５１は、配管内側に配管内ガイド８１、内側遮断部８２および内側遮断支持部８３を有している。
【００６８】
配管内ガイド８１は、銅管５１の内面から径方向内側に向けて銅管５１の軸に達することがない程度まで延びるように設けられた突起であり、径方向外側が銅管５１の内側表面に溶接されることで固定されている。この配管内ガイド８１は、図１０に示すように、上流側および下流側においてなだらかに傾斜した傾斜面を有している。また、配管内ガイド８１は、軸方向視において、内側遮断支持部８３と重複することがないように配置されている。配管内ガイド８１は、図１０に示すように、誘導加熱が行われる磁性体管５２の配置位置に対応する位置において、冷媒流れ方向に並んだ第１配管内ガイド８１ａ、第２配管内ガイド８１ｂ、第３配管内ガイド８１ｃ、第４配管内ガイド８１ｄおよび第５配管内ガイド８１ｅを有している。
【００６９】
内側遮断部８２は、銅管５１の軸心と円心を共通にし、冷媒流れ方向Ｒを厚み方向としつつ、銅管５１の内側表面までは達していない程度まで拡がった円盤形状部材である。この内側遮断部８２は、内側遮断支持部８３を介して銅管５１の内側表面に溶接されることで固定されている。内側遮断部８２は、図１０に示すように、誘導加熱が行われる磁性体管５２の配置位置に対応する位置において、冷媒流れ方向に並んだ第１内側遮断部８２ａ、第２内側遮断部８２ｂ、第３内側遮断部８２ｃおよび第４内側遮断部８２ｄを有している。
【００７０】
なお、配管内ガイド８１と、内側遮断部８２とは、冷媒流れ方向の中心間距離Ｌ１の間隔で、交互に並んで配置されている。
【００７１】
＜１−５＞冷媒の加熱および流れ
図１３および図１４に、冷媒の流れる様子を示す冷媒配管の部分断面説明図を示す。
【００７２】
上述した電磁誘導加熱ユニット６のコイル６８に電力が供給されることで、磁性体管５２の周囲に磁界が生じる。これにより、磁性体管５２には、渦電流が発生し、自らの電気抵抗によってジュール熱を発熱する。このようにして、磁性体管５２が発熱する。ただし、磁性体管５２は、表皮効果によって、厚み方向の内部よりも、厚み方向の表面近傍の方がより多くの渦電流が発生し、磁性体管５２の表面である、内側表面と外側表面とが内部よりも発熱度合いが高くなっている。そして、磁性体管５２で生じた熱は銅管５１に熱伝達され、銅管５１内を熱伝導することで、銅管５１の内側表面の温度が上昇する。
【００７３】
図１３および図１２に示すように、銅管５１の内側表面近傍の第１通過エリアＳ１を通過している冷媒は、このようにして温度が上昇している銅管５１の内側表面を流れることで加熱される。ここで、第１通過エリアＳ１を通過している冷媒と、銅管５１の内側の第２通過エリアＳ２を流れる冷媒と、のそれぞれの位置が変化しないでいると、第１通過エリアＳ１を流れ続けている冷媒は加熱され続けることで比体積が増大し、銅管５１の内側表面からの熱伝達効率が低下する。これに対して、この二重管５０では、配管内ガイド８１が設けられているため、第１通過エリアＳ１を所定距離流れた冷媒は、図１３の矢視Ｆ１に示すように、配下内ガイド８１ａ、８１ｂ等によって、第１通過エリアＳ１から離れて銅管５１の内側の第２通過エリアＳ２の方向に導かれる。これにより、第１通過エリアＳ１における冷媒加熱効率を改善させることができている。
【００７４】
図１４および図１１に示すように、銅管５１の軸近傍の第２通過エリアＳ２を通過している冷媒は、銅管５１の内側表面から離れているため、十分な熱を得ることができていない。このため、第１通過エリアＳ１を通過している冷媒と、銅管５１の内側の第２通過エリアＳ２を流れる冷媒と、のそれぞれの位置が変化しないでいると、第２通過エリアＳ２を流れ続けている冷媒は十分に加熱されない。これに対して、この二重管５０では、内側遮断部８２が設けられているために、第２通過エリアＳ２を所定距離流れた冷媒は、図１４の矢視Ｆ２に示すように、内側遮断部８２ａ、８２ｂ等によって、銅管５１の内側表面近傍の第１通過エリアＳ１へと導かれる。これにより、十分加熱されていなかった冷媒を加熱させることができる。
【００７５】
なお、配管内ガイド８１は、上流側および下流側においてなだらかに傾斜した傾斜面を有しているので、銅管５１の内側表面近傍を沿うように流れてきた冷媒を、通過抵抗の増大を小さく抑えつつ、なだらかに銅管５１の中心側に導くことができている。これにより、過度に通過抵抗が増大してしまったり、銅管５１の内側表面近傍において冷媒が滞留してしまうことがないようにしている。
【００７６】
さらに、配管内ガイド８１は、銅管５１の内面側近傍における円弧長さが、径方向の長さよりも長い形状を有している。この形状によって、銅管５１の内側表面近傍を円弧に沿うように流れつつ配管内ガイド８１を超えるような冷媒流れを抑えつつ、配管内ガイド８１によって加熱されて比体積が増大している冷媒を銅管５１の内側の第２通過エリアＳ２へ導くことができる。
【００７７】
＜本実施形態の空気調和装置１の特徴＞
空気調和装置１の電磁誘導加熱ユニット６によって磁性体管５２を誘導加熱すると、表皮効果によって磁性体管５２の表面近傍が内部よりも優先的に発熱する。
【００７８】
ここで、第１通過エリアＳ１を流れて銅管５１の熱によって加熱された冷媒は、所定距離流れた後に、配管内ガイド８１によって第１通過エリアＳ１である銅管５１の内側表面から離れた第２通過エリアＳ２に導かれる。また、このようにして第１通過エリアＳ１が空いた状態になると、この空きスペースに第２通過エリアＳ２を通過していた冷媒が流れ込みやすくなる。
【００７９】
さらに、第２通過エリアＳ２を流れて十分に加熱されていない比較的冷たい冷媒は、内側遮断部８２によって第１通過エリアＳ１である銅管５１の内側表面近傍に導かれる。また、このようにして第２通過エリアＳ２から第１通過エリアＳ１に導かれるように流れる冷媒流れは、第１通過エリアＳ１において十分に加熱されて滞留しようとする冷媒を第２通過エリアＳ２側に押しのけることができる。
【００８０】
このようにして、誘導加熱の表皮効果によって内側表面および外側表面が優先的に発熱している磁性体管５２の熱を、銅管５１へ効率良く熱伝達させることができ、銅管５１に伝達されて銅管５１の内側表面に伝達した熱を、銅管５１の内側表面に向けて供給される温度が低い冷媒に効率良く供給することができる。これにより、磁性体管５２で生じた熱が磁性体管５２の径方向外側に伝導したり、磁性体管５２の周囲の空間に熱伝達してしまったりして熱が逃げてしまうことを抑えて、効率良く冷媒を加熱することができるようになる。
【００８１】
＜他の実施形態＞
以上、本発明の実施形態について図面に基づいて説明したが、具体的な構成は、これらの実施形態に限られるものではなく、発明の要旨を逸脱しない範囲で変更可能である。
【００８２】
（Ａ）
上記実施形態では、銅管５１の内側表面から径方向内側に延びる配管内ガイド８１が設けられている場合を例に挙げて説明した。
【００８３】
しかし、本発明はこれに限られるものではない。
【００８４】
例えば、図１５および図１６に示すように、銅管２５１、磁性体部材２５２、配管内ガイド２８１、外側遮断部２８２および磁性体支持部２８３を備えた二重管２５０としてもよい。
【００８５】
二重管２５０では、磁性体部材２５２が銅管２５１の内部に配置され、長手方向が銅管２５１の軸方向に沿うように配置されている円柱形の磁性体部材である。そして、磁性体部材２５２は、銅管２５１の内側表面に溶接されており、径方向内側に延びる磁性体支持部２８３によって固定されている。配管内ガイド２８１は、磁性体部材２５２の外側表面から径方向外側に向けて銅管２５１の内側表面に達することがない程度まで延びるようにして拡がっている。外側遮断部２８２は、銅管２５１の内側表面から径方向内側に向けて磁性体部材２５２の外側表面に達することがない程度まで延びるようにして拡がっている。
【００８６】
図１７に、図１６のＭ−Ｍ断面図を示す。図１８に、図１６のＬ―Ｌ断面図を示す。
【００８７】
ここでも、コイル６８に電力が供給され、磁性体部材２５２の周囲に磁界が発生すると、磁性体部材２５２に渦電流が生じて発熱する。また、表皮効果によって、磁性体部材２５２の表面近傍が、内部よりも優先して発熱する点については、上記実施形態と同様である。ここでは、第１通過エリアＴ１を通過することで加熱される冷媒と、第２通過エリアＴ２を通過することで十分に加熱されていない冷媒とが、上記実施形態と同様にして入れ替わることで、冷媒を効率良く加熱させることができている。
【００８８】
（Ｂ）
上記実施形態では配管内ガイド８１が銅管５１の内側表面に溶接されている場合を、上記他の実施形態（Ａ）では磁性体支持部２８３が銅管２５１の内側表面に溶接されている場合、をそれぞれ例に挙げて説明した。
【００８９】
しかし、本発明はこれに限られるものではない。
【００９０】
例えば、図１９および図２０に示すように、配管内ガイド８１と内側遮断部８２とを接続して一体化させる支持部材３８３（３８３ａ〜３８３ｄ）と、ストッパ３８９とを備えた二重管３５０としてもよい。
【００９１】
ここで、配管内ガイド８１と内側遮断部８２と支持部材３８３とは、１つのユニットを形成している。ストッパ３８９は、冷媒流れ方向Ｒにおいて、このユニットの下流側に配置されており、このユニットが冷媒流れ方向の下流側に流れていかないように位置決めをすることができている。これにより、コイル６８によって磁界が生じて誘導加熱が行われる部分における冷媒の加熱効率を良好にした流れを実現させることができる。
【００９２】
この場合には、配管内ガイド８１の径方向外側を自由端にして、銅管５１の内側に溶接しない構造とすることができる。
【００９３】
（Ｃ）
上記他の実施形態（Ｂ）では、磁性体管５２を有する二重管３５０を例に挙げて説明した。
【００９４】
しかし、本発明はこれに限られるものではなく、例えば、図２１に示すように、ストッパ４８９によって下流側への流れが抑制された磁性体部材２５２を有しており、配管内ガイド２８１、支持部材４８３（４８３ａ〜４８３ｄ）および外側遮断部２８２がこの磁性体部材２５２に一体化された二重管４５０としてもよい。
【００９５】
この場合には外側遮断部２８２の径方向外側を自由端にして、銅管２５１の内側に溶接しない構造とすることができる。
【００９６】
（Ｄ）
上記他の実施形態（Ｂ）では、銅管５１、２５１の内側表面には何も溶接されていない構造を例に挙げて説明した。
【００９７】
しかし、本発明はこれに限られるものではなく、例えば、図２２に示すように、銅管５１の曲げ部分が有る場合には、曲げ部分の一方と他方との間の曲げ中間部分に、配管内ガイド８１と内側遮断部８２とを接続して一体化させる支持部材３８３（３８３ａ〜３８３ｄ）を配置した二重管５５０としてもよい。この場合には、上述したようなストッパが不要になる。
【００９８】
（Ｅ）
上記実施形態では、銅管５１の内側表面が平滑である場合を例に挙げて説明した。
【００９９】
しかし、本発明はこれに限られるものではなく、例えば、図２３に示すように、銅管６５１の内側に径方向に凹凸した形状が採用された内面溝付き管を採用した二重管６５０としてもよい。この場合には、第１通過エリアＳ１を通過している冷媒の加熱有効表面積を増大させることにより、加熱効率を上げることができる。
【０１００】
（Ｆ）
上記実施形態では、磁性体管５２と銅管５１とが別々に構成された二重管５０を例に挙げて説明した。
【０１０１】
しかし、本発明はこれに限られるものではなく、例えば、図２４に示すように、上記実施形態で説明した銅管５１の形状を維持しつつ材料を磁性体に代えた一重磁性体管７５２を有する配管７５０としてもよい。
【０１０２】
（Ｇ）
上記実施形態では、磁性体管５２と銅管５１とが別々に構成されて互いに密着している二重管５０を例に挙げて説明した。
【０１０３】
しかし、本発明はこれに限られるものではなく、例えば、図２５に示すように、銅管５１と磁性体管５２との間に他の部材８５０Ｂが介在した二重管８５０であってもよい。この他の部材８５０Ｂとしては、熱伝導率がよく、柔軟性が良好である材料が好ましく、例えば、シリコーンもしくはシリコン樹脂等の合成樹脂が好ましい。銅管５１の外側表面と磁性体管５２の内側表面との接触状態を良好に維持することが難しい場合であっても、シリコーンもしくはシリコン樹脂等の合成樹脂等が介在することで熱伝達効率を向上させることができるようになる。
【０１０４】
（Ｈ）
上記実施形態では、二重管５０の軸方向とコイル６８の軸方向とが共通している場合を例に挙げて説明した。
【０１０５】
しかし、本発明はこれに限られるものではない。
【０１０６】
例えば、図２６に示すように、磁性体管５２の周辺に磁界を生じさせることができるのであれば、コイル６８の配置は特に限定されるものではなく、例えば、コイル１６８のように、二重管５０の軸方向に垂直な軸をもつように配置してもよい。
【０１０７】
（Ｉ）
上記実施形態では、冷媒回路１０のうち、アキューム管Ｆに対して電磁誘導加熱ユニット６が取り付けられる場合について説明した。
【０１０８】
しかし、本発明はこれに限られるものではなく、例えば、アキューム管Ｆ以外の他の冷媒配管に設けられていてもよい。この場合には、電磁誘導加熱ユニット６を設ける冷媒配管部分に磁性体管５２等の磁性体を設ける。
【０１０９】
（Ｊ）
上記実施形態では、磁性体管５２としてＳＵＳ４３０を例に挙げて説明した。
【０１１０】
しかし、本発明はこれに限られるものではなく、例えば、鉄、銅、アルミ、クロム、ニッケル等の導体およびこれらの群から選ばれる少なくとも２種以上の金属を含有する合金等としてもよい。磁性体材料としては、例えば、強磁性体であって電気抵抗が比較的高いものであり使用温度範囲よりもキュリー温度が高い材料が好ましい。
【０１１１】
（Ｋ）
上記実施形態では、配管内ガイド８１が、円周方向に一周していない形状について例に挙げて説明した。
【０１１２】
しかし、本発明はこれに限られるものではなく、例えば、配管内ガイド８１、２８１は、円弧方向に一周するように設けられていても良い。
【０１１３】
＜その他＞
以上、本発明の実施形態について、いくつかの例を挙げて説明したが、本発明はこれらに限られない。例えば、上記記載から当業者が実施可能な範囲で、上述の実施形態の異なる部分を適宜組み合わせて得られる組合せ実施形態も、本発明に含まれる。
【産業上の利用可能性】
【０１１４】
本発明を利用すれば、電磁誘導によって加熱された冷媒配管の内部を通過する冷媒の加熱効率を向上させることが可能なため、電磁誘導加熱方式によって冷媒を加熱する電磁誘導加熱ユニットや空気調和装置等に適用した場合に特に有用である。
【図面の簡単な説明】
【０１１５】
【図１】本発明の一実施形態にかかる空気調和装置の冷媒回路図である。
【図２】室外機の正面側を含む外観斜視図である。
【図３】室外機の内部配置構成斜視図である。
【図４】室外機の機械室の内部構造を示す全体前方斜視図である。
【図５】アキューム管に取り付けられた電磁誘導加熱ユニットの概略斜視図である。
【図６】電磁誘導加熱ユニットから遮蔽カバーを取り除いた状態の外観斜視図である。
【図７】アキューム管に取り付けられた電磁誘導加熱ユニットの断面図である。
【図８】電磁誘導加熱ユニットの周囲に磁束が生じている状態の説明図である。
【図９】二重管の軸方向視平面図である。
【図１０】二重管の断面図である。
【図１１】図１０のＰ−Ｐ断面についての断面図である。
【図１２】図１０のＱ−Ｑ断面についての断面図である。
【図１３】冷媒の流れる様子を示す冷媒配管の部分断面説明図である。
【図１４】冷媒の流れる様子を示す冷媒配管の部分断面説明図である。
【図１５】他の実施形態（Ａ）に係る二重管の軸方向視平面図である。
【図１６】他の実施形態（Ａ）に係る二重管の断面図である。
【図１７】他の実施形態（Ａ）に係る図１６のＭ−Ｍ断面についての断面図である。
【図１８】他の実施形態（Ａ）に係る図１６のＬ−Ｌ断面についての断面図である。
【図１９】他の実施形態（Ｂ）に係る二重管の軸方向視平面図である。
【図２０】他の実施形態（Ｂ）に係る二重管の断面図である。
【図２１】他の実施形態（Ｃ）に係る二重管の断面図である。
【図２２】他の実施形態（Ｄ）に係る二重管の断面図である。
【図２３】他の実施形態（Ｅ）に係る内面溝付き管の軸方向視平面図である。
【図２４】他の実施形態（Ｆ）に係る一重冷媒配管の軸方向視平面図である。
【図２５】他の実施形態（Ｇ）に係る二重管の軸方向視平面図である。
【図２６】他の実施形態（Ｈ）に係るコイルの配置例を示す図である。
【符号の説明】
【０１１６】
１  空気調和装置
６  電磁誘導加熱ユニット
１０  冷媒回路
２１    圧縮機
２３    室外熱交換器
２４    電動膨張弁
４１    室内熱交換器
５０    二重管（冷媒配管）
５１    銅管
５２    磁性体管（加熱対象部材）
６８    コイル
８１    配管内ガイド
８１ａ  第１配管内ガイド（第２加熱抑制ガイド）
８１ｂ  第２配管内ガイド（第１加熱抑制ガイド）
８２    内側遮断部（流れ変更部、内側流れ変更部）
２５０、３５０、４５０、５５０、６５０、７５０    二重管
２５２、７５２    磁性体管（加熱対象部材）
２８１    配管内ガイド
２８１ａ  第１配管内ガイド（第２加熱抑制ガイド）
２８１ｂ  第２配管内ガイド（第１加熱抑制ガイド）
２８２    外側遮断部（流れ変更部、外側流れ変更部）
３８９、４８９  ストッパ（位置決め部）
Ｆ    アキューム管、冷媒配管
Ｓ１、Ｔ１    第１通過エリア（第１通過箇所）
Ｓ２、Ｔ２    第２通過エリア（第２通過箇所）
【図１】
2010153202.tif 000003
【図２】
2010153202.tif 000004
【図３】
2010153202.tif 000005
【図４】
2010153202.tif 000006
【図５】
2010153202.tif 000007
【図６】
2010153202.tif 000008
【図７】
2010153202.tif 000009
【図８】
2010153202.tif 000010
【図９】
2010153202.tif 000011
【図１０】
2010153202.tif 000012
【図１１】
2010153202.tif 000013
【図１２】
2010153202.tif 000014
【図１３】
2010153202.tif 000015
【図１４】
2010153202.tif 000016
【図１５】
2010153202.tif 000017
【図１６】
2010153202.tif 000018
【図１７】
2010153202.tif 000019
【図１８】
2010153202.tif 000020
【図１９】
2010153202.tif 000021
【図２０】
2010153202.tif 000022
【図２１】
2010153202.tif 000023
【図２２】
2010153202.tif 000024
【図２３】
2010153202.tif 000025
【図２４】
2010153202.tif 000026
【図２５】
2010153202.tif 000027
【図２６】
2010153202.tif 000028